(57)【特許請求の範囲】
【請求項１】
検出すべき所定の情報信号パターンを記憶する情報信号パターン記憶手段，
情報信号を送出する複数の情報源のそれぞれの優先順位を記憶する優先順位記憶手段，
複数の上記情報源から送出されるそれぞれの情報信号を受取る情報信号受取手段，
上記情報信号受取手段によって受取っている情報信号の中に，上記情報信号パターン記憶手段に記憶されている上記情報信号パターンが含まれているかどうかを判定する信号パターン判定手段，
上記情報信号受取手段によって受取った情報信号によって表わされる情報を出力する情報出力手段，
上記信号パターン判定手段によって上記所定の情報信号パターンが含まれていると判定されたことに応答して，上記情報出力手段から情報が出力中ではないかどうかを判定する出力判定手段，および
上記出力判定手段により，情報の出力中ではないと判定されたことにより，上記信号パターン判定手段によって判定された情報信号パターンを有する情報信号を送出している上記情報源からの情報信号を出力するように上記情報出力手段を制御し，上記出力判定手段により，情報の出力中であると判定されたことにより，上記出力中の情報を表わす情報信号を送出している一の情報源と上記出力中に上記信号パターン判定手段によって所定の情報信号パターンが含まれていると判定された情報信号を送出している他の情報源とのうち，上記優先順位記憶手段に記憶されている優先順位の高い方の情報源から送出されている情報信号によって表わされる情報を出力するように上記情報出力手段を制御する出力制御手段，
を備えた情報信号出力システム。
【請求項２】
上記優先順位記憶手段には，複数の上記情報源および上記信号パターン記憶手段に記憶されている複数の情報信号パターンのそれぞれの優先順位が記憶されており，
上記出力制御手段は，上記出力判定手段により情報の出力中であると判定されたことにより，上記出力中の情報を表わす情報信号と，上記出力中に上記信号パターン判定手段によって所定の情報信号パターンが含まれていると判定された情報信号とのうち，上記優先順位記憶手段に記憶されている優先順位にもとづいて優先順位が高いと判定される情報信号によって表わされる情報を出力するものである，
請求項１に記載の情報信号出力システム。
【請求項３】
上記情報出力手段から出力される情報を表わす信号を記録する情報信号記録手段，
をさらに備えた請求項１に記載の情報信号出力システム。
【請求項４】
上記情報信号受信手段において受信した情報信号を一定時間の間記憶し，この一定時間の経過後は上記情報信号受信手段において新しく受信した情報信号をオーバーライトし，上記信号パターン判定手段により所定の信号パターンが含まれていると判定されたことによりオーバーライトを禁止するオーバーライト記憶手段，
をさらに備えた請求項３に記載の記憶信号出力システム。
【請求項５】
上記情報信号が，ラジオ情報源から送信される音声信号またはテレビ情報源から送信される画像信号である，請求項１に記載の情報信号出力システム。
【請求項６】
情報信号を送出する複数の情報源のそれぞれの優先順位および検出すべき所定の情報信号パターンをあらかじめ設定し，
複数の上記情報源から送出されるそれぞれの情報信号を受取り，
受取った複数の情報信号の中に，あらかじめ設定された上記所定の情報信号パターンが含まれているかどうかを判定し，
上記所定の情報信号パターンが含まれていると判定されたことに応答して，情報が出力中ではないかどうかを判定し，
情報の出力中ではないと判定されたことにより，上記判定された情報信号パターンを有する情報信号を送出している上記情報源からの情報信号を出力し，
情報の出力中であると判定されたことにより，上記出力中の情報を表わす情報信号を送出している一の情報源と上記出力中に所定の情報信号パターンが含まれていると判定された情報信号を送出している他の情報源とのうち，あらかじめ記憶されている優先順位の高い方の情報源から送出されている情報信号によって表わされる情報を出力する，
情報信号出力方法。
【請求項７】
複数の上記情報源および上記信号パターン記憶手段に記憶されている複数の情報信号パターンのそれぞれの優先順位があらかじめ設定されており，
情報の出力中であると判定されたことにより，上記出力中の情報を表わす情報信号と，上記出力中に上記所定の情報信号パターンが含まれていると判定された情報信号のうち，あらかじめ設定されている優先順位にもとづいて優先順位が高いと判定される情報信号によって表わされる情報を出力するものである，
請求項６に記載の情報信号出力方法。
【請求項８】
出力される上記情報信号を記録するものである，請求項６に記載の情報源からの情報信号出力方法。
【請求項９】
受信した情報信号を一定時間の間記憶し，この一定時間の経過後は新しく受信した情報信号をオーバーライトし，所定の信号パターンが含まれていると判定されたことによりオーバーライトを禁止する，請求項８に記載の情報源からの情報信号出力方法。
【請求項１０】
上記情報信号が，ラジオ情報源から送信される音声信号またはテレビ情報源から送信される画像信号である，請求項第６項に記載の情報源からの情報信号出力方法。
【発明の詳細な説明】
【０００１】
【技術分野】
この発明は，特定の信号パターン（信号パターンによって表わされるキーワード，画像など）を設定しておき，情報源から送出される情報信号（音声信号，画像信号など）を受信し，受信した情報信号に特定の信号パターンが含まれているときに受信した情報信号を出力する情報信号出力システムおよび方法に関する。
【０００２】
【発明の背景】
従来の自動放送選局システムの一例には，特開昭５９−２５４３０号公報に記載のものがある。この自動放送選局システムでは，情報源の放送内容を知らせる情報源を新たに設けるものである。新たに設けられた情報源からの放送を受信することにより複数の情報源で放送されている放送の内容を知ることができる。
【０００３】
しかしながら，このような自動放送選局システムでは，新たに情報源を設けるので非常に多額な費用が必要となる。
【０００４】
また，ビデオ・テープ・レコーダにおける番組予約のように，タイマを用いてあらかじめ設定した時間に設定した情報源から放送される番組を録画するものもある。
【０００５】
しかしながら，このような番組予約では，番組表に載っている番組をもとに選ぶので番組表に載らない放送内容については録画することができない。
【０００６】
【発明の開示】
この発明は，番組表に載らないような情報であっても所望の情報を出力（記録）することができるシステムおよび方法を提供することを目的とする。
【０００７】
第１の発明による情報信号出力装置は，検出すべき所定の情報信号パターンを記憶する情報信号パターン記憶手段，情報信号を送出する複数の情報源のそれぞれの優先順位を記憶する優先順位記憶手段，複数の上記情報源から送出されるそれぞれの情報信号を受取るする情報信号受取手段，上記情報信号受信手段によって受取っている情報信号の中に，上記情報信号パターン記憶手段に記憶されている上記情報信号パターンが含まれているかどうかを判定する信号パターン判定手段，上記情報信号受取手段によって受取った情報信号によって表わされる情報を出力する情報出力手段，上記信号パターン判定手段によって上記所定の情報信号パターンが含まれていると判定されたことに応答して，上記情報出力手段から情報が出力中ではないかどうかを判定する出力判定手段，および上記出力判定手段により，情報の出力中ではないと判定されたことにより，上記信号パターン判定手段によって判定された情報信号パターンを有する情報信号を送出している上記情報源からの情報信号を出力するように上記情報出力手段を制御し，上記出力判定手段により，情報の出力中であると判定されたことにより，上記出力中の情報を表わす情報信号を送出している一の情報源と上記出力中に上記信号パターン判定手段によって所定の情報信号パターンが含まれていると判定された情報信号を送出している他の情報源とのうち，上記優先順位記憶手段に記憶されている優先順位の高い方の情報源から送出されている情報信号によって表わされる情報を出力するように上記情報出力手段を制御する出力制御手段を備えていることを特徴とする。
【０００８】
第１の発明は，上記装置に適した方法も提供している。
【０００９】
すなわち，情報信号を送出する複数の情報源のそれぞれの優先順位および検出すべき所定の情報信号パターンをあらかじめ設定し，複数の上記情報源から送信されるそれぞれの情報信号を受取り，受取った複数の情報信号の中に，あらかじめ設定された上記所定の情報信号パターンが含まれているかどうかを判定し，上記所定の情報信号パターンが含まれていると判定されたことに応答して，情報が出力中ではないかどうかを判定し，情報の出力中ではないと判定されたことにより，上記判定された情報信号パターンを有する情報信号を送出している上記情報源からの情報信号を出力し，情報の出力中であると判定されたことにより，上記出力中の情報を表わす情報信号を送出している一の情報源と上記出力中に所定の情報信号パターンが含まれていると判定された情報信号を送出している他の情報源とのうち，あらかじめ記憶されている優先順位の高い方の情報源から送出されている情報信号によって表わされる情報を出力する方法である。
【００１０】
第１の発明によると，情報源から送出される情報信号（例えば，ラジオ局から送信される音声信号，テレビ局から送信される画像信号）が受取られる。受取られた情報信号の中に上記情報信号パターン（キーワードを表す音声信号パターン，特定の画像を表す信号パターンなど）が含まれていると，その情報信号パターンが含まれていた情報信号が出力される。
【００１１】
したがって，あらかじめ指定されていた信号パターンに関する情報信号（放送）を出力できる。
【００１２】
とくに第１の発明によると，情報源の優先順位が規定されているので複数の情報源から上記情報信号パターンを含む情報信号が送出された場合であってもこの優先順位にしたがって情報信号を出力することができる。このため，ユーザが指定する所望の情報源からの情報信号を優先して出力することが可能である。
【００１３】
複数の上記情報源および上記信号パターン記憶手段に記憶されている複数の情報信号パターンのそれぞれの優先順位をあらかじめ設定しておき，情報の出力中であると判定されたことにより，上記出力中の情報を表わす情報信号と，上記出力中に上記所定の情報信号パターンが含まれていると判定された情報信号とのうち，あらかじめ設定されている優先順位にもとづいて優先順位が高いと判定される情報信号によって表わされる情報を出力するとよい。
【００１４】
上記においては，複数の情報信号パターンおよび複数の情報源の優先順位が設定可能である。複数の情報信号パターンをもつ情報信号を出力することができる。とくに，複数の情報信号パターンおよび複数の情報源の優先順位が設定されているので，複数の情報源から同時刻に上記信号パターンを含む上記情報信号が送信された場合であってもユーザがもっとも望む情報信号を出力することができる。
【００１５】
出力された情報信号は，記録してもよい。特に受取られた情報信号を一定時間の間記憶し，この一定時間の経過後は新しく受信した情報信号をオーバーライトし，所定の信号パターンが含まれていると判定されたことによりオーバーライトを禁止することが好ましい。
【００１６】
これにより所定の信号パターンが含まれている時点での情報信号の内容を確認することができる。
【００１７】
【実施例の説明】
図１は，この発明の実施例を示すもので音声信号の受信（出力）システムの電気的構成を示すブロック図である。
【００１８】
この音声信号の受信システムは，ユーザによってあらかじめキーワードが入力され，入力されたキーワードを含む音声信号を受信したことに応答してその音声信号によって表わされる音声をスピーカ７から出力するものである。
【００１９】
音声信号受信システムには放送局から送信された音声信号を受信する放送受信回路３が含まれている。この放送受信回路３は複数の放送局からの音声信号を受信できるものであり，例えば，複数のチューナから構成される。
【００２０】
ユーザは，キーワード入力回路２を用いて「ニュース」，「天気予報」などのキーワードおよび音声信号を受信すべき放送局を入力する。キーワード入力回路２において入力された放送局名を表すデータは放送受信回路３に与えられ，与えられたデータによって表わされる放送局からの音声信号が受信される。受信した音声信号は，キーワード検出回路４を構成するキーワード・サーチ回路５および放送出力切替回路６にそれぞれ与えられる。
【００２１】
キーワード入力回路２を用いて入力されたキーワードは，キーワード検出回路４のキーワード・サーチ回路５に与えられる。また，キーワード入力回路２においては後述する優先順位表が作成され，この優先順位表を表すデータはキーワード検出回路４の放送出力切替回路６に与えられる。
【００２２】
キーワード・サーチ回路５において，放送受信回路３から入力する音声信号に，キーワード入力回路２から与えられるキーワードが含まれているかどうかが判定される。その旨およびそのキーワードが放送出力切替回路６に与えられ，スピーカ７からそのキーワードが含まれていた音声が出力される。
【００２３】
スピーカ７から音声が出力されているときに，出力されている音声を表す音声信号を送信している放送局以外の放送局から送信される音声信号を受信し，その音声信号によって表わされる音声中にキーワード入力回路２から入力されたキーワードが含まれている場合がある。この場合には，キーワード入力回路２から与えられる優先順位表に基づいてどちらの音声信号出力が優先されるかが判定され，優先された音声信号によって表わされる音声がスピーカ７から出力される。この処理について詳しくは，後述する。
【００２４】
音声信号受信システムにはデータベース１が含まれている。データベース１は，キーワード入力回路２から入力されたキーワードに関連するキーワードを記憶するものである。このデータベース１に記憶される関連キーワードの一例が図２に示されている。キーワードが「ニュース」であれば，関連キーワードは，「ニュースをお伝え」，「ニュースの時間」などであり，キーワードが，「天気予報」であれば，関連キーワードは，「天気予報をお伝え」，「天気予報の時間」，「ウエザー・インフォメーション」などであり，キーワードが特定のアーティスト名であれば，「曲名」，「グループのメンバ名」が関連キーワードとなる。
【００２５】
このような関連キーワードは，データベース１から読み出され，キーワード入力装置２から入力されたキーワードとともにキーワード・サーチ回路５に与えられる。関連キーワードによって表わされる音声信号がキーワード・サーチ回路５に与えられるとキーワードが検出されたとしてその関連キーワードを含む音声信号によって表わされる音声がスピーカ７から出力される。
【００２６】
また，音声信号の受信システムにはモニタ表示装置８が含まれており，受信装置の動作状況が表示される。
【００２７】
図３（Ａ）は，キーワード入力回路２から入力されるキーワードの優先順位を示し，図３（Ｂ）は，キーワード入力回路２から入力される放送局の優先順位を示し，図３（Ｃ）は，キーワードと放送局のどちらを優先するかをあらわす優先順位を示している。
【００２８】
この実施例による音声信号の受信システムは，複数種類のキーワードを設定し，かつ複数の放送局から送信される音声信号を受信することができる。この場合，どのキーワードを含む音声の出力を優先するか，どの放送局から送信される音声信号によって表わされる音声の出力を優先するかを定めないと複数の音声がスピーカ７から出力されることとなる。このために図３（Ａ），（Ｂ），（Ｃ）に示す表から図４に示す優先順位表が作成される。
【００２９】
図３（Ａ）では，キーワード１とキーワード２とがキーワードとして入力されており，キーワード１が優先順位１位，キーワード２が優先順位２位としてユーザによって指定されている。
【００３０】
図３（Ｂ）では，Ａ放送局とＢ放送局とから送信される音声信号を受信し，Ａ放送局を優先順位１位，Ｂ放送局を優先順位２位としてユーザによって指定されている。
【００３１】
図３（Ｃ）では，放送局とキーワードとのどちらを優先するかが示されており，キーワードよりも放送局の方が優先順位が高く設定されている。
【００３２】
このようにユーザによってキーワードの優先順位，放送局の優先順位およびキーワードと放送局の優先順位が指定されると，図４に示すような優先順位表がキーワード入力回路２において作成される。
【００３３】
ユーザによって図３（Ａ）から（Ｃ）に示す各優先順位が入力されると図４に示すようにＡ放送局から送信された音声信号にキーワード１が含まれている場合にスピーカ７から音声を出力するのが第１の優先順位となり，以下，Ａ放送局から送信された音声信号にキーワード２が含まれている場合，Ｂ放送局から送信された音声信号にキーワード１が含まれている場合，Ｂ放送局から送信された音声信号にキーワード２が含まれている場合となる。
【００３４】
図４に示すように優先順位が設定されると，Ｂ放送局からの音声信号にもとづいてキーワード１または２を検出し，音声を出力しているときに（優先順位第３位または第４位），Ａ放送局からの音声信号にもとづいてキーワード１または２を検出するとＢ放送局からの音声信号にもとづく音声出力は停止され，Ａ放送局からの音声信号にもとづく音声出力が開始される。
【００３５】
また，ユーザによって放送局よりもキーワードを優先して音声出力するように設定されると図５に示すように，Ｂ放送局からの音声信号にもとづいてキーワード２を検出し，音声を出力しているときにＡ放送局からの音声信号にもとづいてキーワード２を検出すると，Ｂ放送局からの音声信号にもとづく音声出力は中止され，Ａ放送局からの音声信号にもとづく音声出力が開始する。このときにＢ放送局からの音声信号にもとづいてキーワード１が検出されるとＡ放送局からの音声信号にもとづく音声出力は中止され，Ｂ放送局からの音声信号にもとづく音声出力が再び開始する。さらにＡ放送局からの音声信号にもとづいてキーワード１が検出されるとＢ放送局からの音声信号に基づく音声出力は中止され，Ａ放送局からの音声信号にもとづく音声出力が再び開始する。
【００３６】
上述した例では，キーワードの優先順位，放送局の優先順位およびキーワードと放送局の優先順位をそれぞれユーザが入力し，入力されたこれらのデータから図４に示すような優先順位表を作成しているが，ユーザが初めから優先順位表を作成して優先順位表を表すデータを入力するようにしてもよい（図６参照）。
【００３７】
図７は，図１に示す音声信号の受信システムの動作を示すフローチャートである。
【００３８】
音声信号の受信システムの電源が入力されると（ステップ１１），ユーザによってキーワード入力回路２を用いてキーワードおよび複数の放送局名が入力される（ステップ１２）。入力されたキーワードおよび複数の放送局名から図４に示すような優先順位表が作成される。放送局名が入力されるとその放送局から送信される音声信号が上述のように放送受信回路３によって受信される（ステップ１３）。
【００３９】
受信している音声信号によって表わされる音声の中にキーワード入力回路２から入力されたいずれかのキーワードが含まれているかどうかが判定される（ステップ１４）ユーザによって続行中止指令が与えられるまで，このキーワード検索が続行される（ステップ１６）。この続行中止指令は，例えば音声信号の受信システムの電源がオフとされることにより与えられるものであろう。
【００４０】
キーワード・サーチ回路５において，受信している複数の放送局からの音声信号によって表わされる音声の中のいずれかに入力されたキーワード（または関連キーワード）を検出すると（ステップ１５でＹＥＳ），現在すでにいずれかの放送がスピーカ７から出力されているかどうかが判定される（ステップ１７）。現在スピーカ７から放送されていなければ（ステップ１７でＮＯ），キーワードを検出した音声を表す音声信号を送信している放送局の放送がスピーカ７から出力される（ステップ１８）。これによりユーザは，キーワードに関連した所望の放送を聞き逃すことを防止できる。
【００４１】
キーワード・サーチ回路５においてキーワードが検出されたときにすでに，スピーカ７から放送が出力されているときには（ステップ１７でＹＥＳ），検出されたキーワードを含む音声を表す音声信号を送信している放送局の放送が現在出力中かどうかが判断される（ステップ１９）。出力中であればスピーカ７からの音声出力がそのまま続行される（ステップ２１）。その放送局の放送が現在出力中でなければキーワード入力回路２から与えられる優先順位表を表すデータにもとづいて，検出したキーワードをもつ放送は現在出力中のものよりも優先順位が高いかどうかが判定される（ステップ２０）。
【００４２】
優先順位が高ければその放送がスピーカ７から出力されるように，放送出力回路６が制御される（ステップ１８）。優先順位が高くなければ現在スピーカ７からの出力がそのまま続行される（ステップ２１）。
【００４３】
音声信号受信システムの電源がオフとされるまで，ステップ１４からステップ２１の処理が繰り返される（ステップ２２）。
【００４４】
音声信号の受信システムにおいて，キーワード・サーチ回路５によってキーワードが検出されると，表示装置８には例えば図８に示すように現在スピーカ７から出力している放送の放送局名が表示される。また，スピーカ７から出力されている放送よりも優先順位の高い放送を出力するように切替えるときには図９に示すように切り替える旨が表示される。図９に示す表示が表示装置８に表示されているときにユーザによってキャンセル指令が与えられると放送の切替を中止するようにしてもよい。
【００４５】
スピーカ７から出力される放送が切替られると図１０に示すように切り替えられた旨およびそのキーワードが表示装置８に表示される。
【００４６】
図１１は他の実施例を示すもので音声信号の受信システムの電気的構成を示すブロック図である。この図において図１に示すものと同一物には同一符号を付して説明を省略する。
【００４７】
図１に示す音声信号の受信システムがキーワードを検出したことに応答して音声をスピーカ７から出力するのに対し，図１１に示す音声信号の受信システムは，キーワードを検出したことに応答して音声を記録するものである。
【００４８】
放送受信回路３において受信した音声信号は，第１の放送記憶回路３１に与えられる。第１の放送記憶回路３１は，一定時間の間入力する音声信号を記憶し，一定時間経過後は，新しく入力した音声信号をオーバライトして記憶するものである。また，キーワード検出回路４においてキーワードが検出されると放送記憶回路３１における音声の記憶のオーバライトは中止される。放送記憶回路３１に記憶されている音声を表す信号を読み出すことによりキーワードを検出した時点およびその直前の放送を確認することができる。
【００４９】
さらに，音声信号の受信装置には，放送時間推定回路３３，データベース３４および第２の放送記録回路３２が含まれている。
【００５０】
データベース３４はキーワードに関連してそのキーワードに関する放送を記録するにはどの位の時間が一般的に必要かを示すデータが記憶されている。例えば，キーワードが「ニュース」であれば「ニュースをお伝えします」というアナウンスの後に５分程度のニュースがあると考えられるのでニュースというキーワードに関連して音声を記録する場合には５分程度の記録時間が必要であることを示すデータがデータベース３４に記憶されている。また，曲名またはアーティストがキーワードである場合には録音したい曲がその曲名の紹介またはアーティストの紹介の前後１０分程度に行われると考えられるのでその旨がデータベース３４に記憶されている。
【００５１】
放送時間推定回路３３には，キーワード入力回路２からユーザによって入力されたキーワードが与えられ，与えられたキーワードから音声を記録するのに必要な時間がデータベース３４から読み取られる。読み取られた記録時間の間，キーワードが検出された音声が放送記録回路３２に記録されることとなる。キーワードの検出前の記録時間が長ければその記録時間に応じて放送記憶回路３１が構成されるのはいうまでもない。
【００５２】
上記の実施例においては，ラジオ放送局から送信される音声信号を受信して音声出力または記録が行われているが，テレビ放送局から送信される画像信号を受信して画像出力または録画を行ってもよい。その場合には，キーワード入力回路２の代わりにスキャナなどの画像入力装置が設けられ，入力された画像と送信された画像信号によって表わされる画像とのパターン・マッチングによって所望の画像を表示する事となろう。もちろん，テレビ放送を受信する場合においてもテレビ放送局から送信される音声信号に着目してラジオ放送の受信の場合と同様にしてキーワードを検出したことにもとづいて画像を出力または画像を録画するようにしてもよい。
【００５３】
さらに上述した音声信号の受信装置をインターネットの検索システムに応用することも可能である。
【００５４】
この場合，キーワード入力回路２では，情報検索のためのキーワード，検索対象となる地域を指定する。キーワード検出回路４では，入力されたキーワードによって，検索対象の地域のインターネット上での情報検索を開始する。既存の情報が検索されたあとも，引き続き検索を続行し，新規もしくは新たに更新された情報が検出されたら，即座にその情報を見ることができるようにする。
【００５５】
また，複数の検索エンジンによって，あるトピックに関する情報を検索している場合において，一つの検索エンジンが，ある一つの情報を見つけたとき，その情報について，テキスト文書中に含まれるキーワードの数，テキスト文書中に含まれる複数のキーワードについて，キーワードに重みづけを行ない，それぞれのキーワードの数と重みによって評価されたその文書の重要度，情報源のある地域（国内／海外，国内県別，地域別など），使用言語（日本語，英語など），検索エンジンごとの信頼度（異なる種類の検索エンジンを使っている場合）などの要素のうちの一つもしくは複数から，その情報の重要度を決定するようにする。この重要度の大小によって，複数の検索エンジンがほぼ同時刻に，あるトピックに関する情報を見つけだしたときの情報の優先順位を決定する。すなわち，現在見ている情報より，新たに見つかった情報の方が優先順位が高い場合には，優先順位の高いものを先に見れるようにして，優先順位の低いものを後回しにすることにする。
【００５６】
このようにしてインターネットにおける検索システムに応用することが可能となろう。
【図面の簡単な説明】
【図１】音声信号の受信装置の電気的構成を示すブロック図である。
【図２】キーワードと関連キーワードとの関係を示す図表である。
【図３】（Ａ），（Ｂ）および（Ｃ）は優先順位を示している。
【図４】優先順位表の一例を示している。
【図５】優先順位表の一例を示している。
【図６】優先順位表の一例を示している。
【図７】音声信号の受信装置の動作を示すフローチャートである。
【図８】音声信号の受信装置に含まれる表示装置の表示例を示している。
【図９】音声信号の受信装置に含まれる表示装置の表示例を示している。
【図１０】音声信号の受信装置に含まれる表示装置の表示例を示している。
【図１１】他の実施例を示すもので，音声信号の受信装置の電気的構成を示すブロック図である。
【符号の説明】
１  データベース
２  キーワード入力回路
３  放送受信回路
４  キーワード検出回路
５  キーワードサーチ回路
６  放送出力切替回路
７  スピーカ
【図１】
0003591200.tif 000002
【図２】
0003591200.tif 000003
【図３】
0003591200.tif 000004
【図４】
0003591200.tif 000005
【図５】
0003591200.tif 000006
【図６】
0003591200.tif 000007
【図７】
0003591200.tif 000008
【図８】
0003591200.tif 000009
【図９】
0003591200.tif 000010
【図１０】
0003591200.tif 000011
【図１１】
0003591200.tif 000012